(57)【要約】【課題】１枚の育苗箱当たりの播種量をより広い範囲で増減可能としながら床土上への均一な播種を実現できる播種機を提供する。【解決手段】一方向に育苗箱（Ｔ）を搬送する搬送装置（Ｒ）と、搬送装置（Ｒ）の搬送経路上に設けられた播種装置（Ｄ）を備え、播種装置（Ｄ）は、種子を貯留する種子ホッパ（３１）と、種子ホッパ（３１）の下方に回転駆動自在に装着され、周面に繰出凹部が所定間隔毎に複数設けられた円柱状の播種繰出ロール（３２）とを備えており、播種繰出ロール（３２）を回転駆動し、種子ホッパ（３１）に貯留された種子を繰出凹部から繰出して、育苗箱（Ｔ）内の床土に落下させて播種を行う播種機であって、播種繰出ロール（３２）は、複数設けられ、かつ、所定の回転速度における単位時間当たりの種子の繰出量がそれぞれ異なるように構成することにより、上記課題の解決が図られる。【選択図】  図１
2019208378.tif 000002
【特許請求の範囲】
【請求項１】
一方向に育苗箱（Ｔ）を搬送する搬送装置（Ｒ）と、
前記搬送装置（Ｒ）の搬送経路上に設けられた播種装置（Ｄ）とを備え、
前記播種装置（Ｄ）は、種子を貯留する種子ホッパ（３１）と、
前記種子ホッパ（３１）の下方に回転駆動自在に装着され、周面に繰出凹部が所定間隔毎に複数設けられた円柱状の播種繰出ロール（３２）とを備えており、
前記播種繰出ロール（３２）を回転駆動することによって、前記種子ホッパ（３１）に貯留された種子を前記繰出凹部から繰出して、前記育苗箱（Ｔ）内の床土に落下させて播種を行う播種機であって、
前記播種繰出ロール（３２）は、複数設けられ、かつ、所定の回転速度における単位時間当たりの種子の繰出量がそれぞれ異なるように構成されていることを特徴とする播種機。
【請求項２】
前記播種繰出ロール（３２）は、第１の播種繰出ロール（３２ａ）と、前記第１の播種繰出ロール（３２ａ）よりも前記育苗箱（Ｔ）の搬送方向下手側に設けられた第２の播種繰出ロール（３２ｂ）によって構成され、前記第１の播種繰出ロール（３２ａ）及び前記第２の播種繰出ロール（３２ｂ）は、互いに回転方向を異ならせて回転駆動し、前記第１の播種繰出ロール（３２ａ）及び前記第２の播種繰出ロール（３２ｂ）の外側に向けて種子を繰出すように構成されたことを特徴とする請求項１に記載の播種機。
【発明の詳細な説明】
【技術分野】
【０００１】
本発明は、種子を繰出す播種繰出ロールを備えている播種機に関するものである。
【背景技術】
【０００２】
この種の播種機は、例えば、床土上に種籾の播種を行い、これにより、田植機による田植え作業で用いられる苗マットを生産するために用いられるものであって、矩形の育苗箱を搬送装置によって一方向に搬送しながら、搬送装置の搬送経路上に設けられた各種装置によって、育苗箱への床土の敷き詰め、床土への灌水、種籾等の種子の播種、種籾への覆土が順次実施されるように構成されている（例えば、特許文献１参照）。ここで、播種機は、種籾等の種子の播種を行う播種装置を備えており、従来、この播種装置は、周面に繰出凹部が所定間隔毎に複数設けられた円柱状の播種繰出ロールを回転駆動することによって、種子を播種繰出ロールの下部側で繰出凹部から落下させて育苗箱内の床土に播種する構成を備えている（例えば、特許文献２参照）。そして、播種繰出ロールの回転速度を可変調整することにより、単位時間当たりの種子の繰出量を増減し、１枚の育苗箱Ｔ当たりの播種量が調節可能となっている（例えば、特許文献３参照）。
【先行技術文献】
【特許文献】
【０００３】
【特許文献１】特開２０１２−２４５０１５号公報
【特許文献２】特開２００９−９５２５０号公報
【特許文献３】特開２０１３−７４８２８号公報
【発明の概要】
【発明が解決しようとする課題】
【０００４】
しかしながら、播種繰出ロールの回転速度を可変調整する構成によれば、１枚の育苗箱Ｔ当たりの播種量を減らすために回転速度を減速すると、播種繰出ロールの軸心と並行に横一直線に設けられた繰出凹部から繰り出される種子は、間欠的に繰り出される時間間隔が大きくなることから、床土上への均一な播種が困難となる。その結果、例えば、種籾の播種により生産されたマット苗においては、田植機の掻き取り爪が通過する苗が存在せずに、苗が掻き取られない場所が存在し、植付時の欠株が生じる問題が生じる。したがって、床土上への均一な播種を行いながら播種量をある一定量より減らすことは困難であった。また、１枚の育苗箱当たりの播種量を増やすために回転速度を増速すると、繰出凹部への種子の充填率が悪くなることから、床土上への均一な播種を行いながら播種量をある一定量より増やすことは困難であった。このように、従来の播種機は、播種装置によって１枚の育苗箱当たりの播種量をより広い範囲で増減可能とし、かつ、床土上への均一な播種を実現する点において改善の余地が存在していた。そこで、本発明は、１枚の育苗箱当たりの播種量をより広い範囲で増減可能としながら床土上への均一な播種を実現する播種機を提供することを目的とする。
【課題を解決するための手段】
【０００５】
本発明のかかる目的は、一方向に育苗箱（Ｔ）を搬送する搬送装置（Ｒ）と、
前記搬送装置（Ｒ）の搬送経路上に設けられた播種装置（Ｄ）を備え、
前記播種装置（Ｄ）は、種子を貯留する種子ホッパ（３１）と、
前記種子ホッパ（３１）の下方に回転駆動自在に装着され、周面に繰出凹部が所定間隔毎に複数設けられた円柱状の播種繰出ロール（３２）とを備えており、
前記播種繰出ロール（３２）を回転駆動することによって、前記種子ホッパ（３１）に貯留された種子を前記繰出凹部から繰出して、前記育苗箱（Ｔ）内の床土に落下させて播種を行う播種機であって、
前記播種繰出ロール（３２）は、複数設けられ、かつ、所定の回転速度における単位時間当たりの種子の繰出量がそれぞれ異なるように構成されていることを特徴とする播種機によって達成される。
【０００６】
本発明によれば、播種装置（Ｄ）の前記播種繰出ロール（３２）が、複数設けられ、かつ、所定の回転速度における単位時間当たりの種子の繰出量がそれぞれ異なるように構成されていることにより、播種繰出ロール（３２）の回転速度の増減によらず、１枚の育苗箱当たりの播種量をより広い範囲で増減可能である。これに加え、従来は、播種繰出ロール（３２）の回転速度の増減によって、床土上への均一な播種が損なわれていたが、本発明は、播種繰出ロール（３２）の回転速度の増減によらず播種量の調節が可能であるため、床土上への均一な播種を実現できる。
【０００７】
本発明の好ましい実施態様においては、
前記播種繰出ロール（３２）は、第１の播種繰出ロール（３２ａ）と、前記第１の播種繰出ロール（３２ａ）よりも前記育苗箱（Ｔ）の搬送方向下手側に設けられた第２の播種繰出ロール（３２ｂ）によって構成され、前記第１の播種繰出ロール（３２ａ）及び前記第２の播種繰出ロール（３２ｂ）は、互いに回転方向を異ならせて回転駆動され、前記第１の播種繰出ロール（３２ａ）及び前記第２の播種繰出ロール（３２ｂ）の外側に向けて種子を繰出すように構成されたことを特徴とする。
【０００８】
本発明のこの好ましい実施態様によれば、前記第１の播種繰出ロール（３２ａ）及び前記第２の播種繰出ロール（３２ｂ）は、互いに回転方向を異ならせて回転駆動され、前記第１の播種繰出ロール（３２ａ）及び前記第２の播種繰出ロール（３２ｂ）の外側に向けて種子を繰出すように構成されているため、メンテナンスの必要が生じやすい種子の繰り出し部分が前記第１の播種繰出ロール（３２ａ）及び前記第２の播種繰出ロール（３２ｂ）の外側となっており、これにより、メンテナンス性が向上する。
【発明の効果】
【０００９】
本発明によれば、１枚の育苗箱当たりの播種量をより広い範囲で増減可能としながら床土上への均一な播種を実現できる播種機を提供することができる。
【図面の簡単な説明】
【００１０】
【図１】本発明の好ましい実施形態にかかる播種機の略側面図である。
【図２】図１の播種機の制御系および駆動系を示すブロックダイアグラムである。
【図３】図２の制御部の制御フローを示すフローチャートである。
【図４】図１の播種装置の縦断側面図である。
【図５】（ａ）図４の播種装置の前部播種繰出ロールの拡大図である。（ｂ）図４の播種装置の後部播種繰出ロールの拡大図である。
【図６】図４の播種装置の別実施例を示す図である。
【発明を実施するための形態】
【００１１】
上記技術思想に基づいて具体的に構成された実施の形態について以下に図面を参照しつつ説明する。
図１は、本発明の好ましい実施形態にかかる播種機の略側面図である。
図１に示されるように、播種機１は、育苗箱Ｔを載置搬送する搬送コンベアＲと、この搬送コンベアＲの搬送経路上に跨って、育苗箱Ｔの搬送方向Ｈの上手側から、搬送コンベアＲを駆動する駆動装置Ａと、床土装置Ｂと、灌水装置Ｃと、播種装置Ｄと、覆土装置Ｅとが設けられており、搬送コンベアＲの搬送終端側に、計量装置Ｆが設けられている。
【００１２】
なお、床土装置Ｂ、灌水装置Ｃ、播種装置Ｄ、覆土装置Ｅ及び計量装置Ｆの各々の装置は、他の装置と独立して単独で設置できるよう構成されている。
【００１３】
駆動装置Ａは、搬送コンベアＲが備えている駆動ローラ及び搬送ベルトを駆動し、搬送コンベアＲの搬送機能を発揮させる駆動機構である。
【００１４】
床土装置Ｂは、育苗箱Ｔへの床土の敷き詰めを行う装置であり、床土となる培土を貯留する床土タンク１１と、該床土タンク１１内の床土を所定量ずつ繰出して育苗箱Ｔへ落下させて供給する床土繰出具となる床土繰出ベルト１２と、床土繰出ベルト１２を駆動する床土繰出モータ１３を備えている。床土装置Ｂの床土繰出モータ１３は、後述する制御部６１と電気的に接続されており、床土繰出モータ１３のインバータ制御によって、１枚の育苗箱Ｔ当たりの床土の繰出量が制御可能に設けられている。
【００１５】
潅水装置Ｃは、育苗箱Ｔ内の床土に灌水を行う装置であり、灌水パイプ２１によって、育苗箱Ｔ内の床土に、所定量の水を均一に散水するように構成されている。また、潅水装置Ｃは、灌水量を調節可能な電磁弁（図示省略）を備えており、この電磁弁は後述する制御部６１と電気的に接続されている。これにより、灌水パイプ２１に接続された電磁弁（図示省略）のインバータ制御によって、１枚の育苗箱Ｔ当たりの灌水量が制御可能に設けられている。
【００１６】
播種装置Ｄは、育苗箱Ｔに種子の播種を行う装置である。なお、以下の説明においては、種子として水稲の種籾を想定している。播種装置Ｄは、種子を貯留する種子ホッパ３１を上部に備えており、この種子ホッパ３１は、仕切り位置を切り替え可能な仕切り板３２によって、前部種子ホッパ３１ａ及び後部種子ホッパ３１ｂに分割された構成となっている。
【００１７】
また、播種装置Ｄは、種子ホッパ３１内に貯留された種子を間欠的に所定量ずつ繰り出して育苗箱Ｔに播種する播種繰出ロール３２を備えている。この播種繰出ロール３２は、円柱状の形状をなしており、前部種子ホッパ３１ａの下端に回転駆動自在に装着された前部播種繰出ロール３２ａと、後部種子ホッパ３１ｂの下端に回転駆動自在に装着された後部播種繰出ロール３２ｂとによって構成されている。
【００１８】
前部播種繰出ロール３２ａの周面には、前部播種繰出ロール３２ａの軸方向と並行に横一直線の繰出凹部３５ａが所定間隔で複数設けられている。
【００１９】
また、後部播種繰出ロール３２ｂの周面には、後部播種繰出ロール３２ｂの軸方向と並行に横一直線の繰出凹部３５ｂが所定間隔で複数設けられている。
【００２０】
これにより、播種装置Ｄは、前部播種繰出ロール３２ａ及び後部播種繰出ロール３２ｂを回転駆動し、繰出凹部３５ａ及び繰出凹部３５ｂから種籾を繰り出して、これを搬送コンベアＲ上に載置搬送された育苗箱Ｔに落下させて、播種を行うように構成されている。
【００２１】
また、播種装置Ｄは、後述する制御部６１と電気的に接続されており、前部播種繰出ロール３２ａを駆動する前部播種モータ３３ａ及び後部播種繰出ロール３２ｂを駆動する後部播種モータ３３ｂのインバータ制御によって、通常、所定の回転速度で前部播種繰出ロール３２ａ及び後部播種繰出ロール３２ｂを回転駆動するよう構成されているが、後述する制御部６１の制御により、前部播種繰出ロール３２ａ及び後部播種繰出ロール３２ｂを回転速度は、それぞれが可変調整可能に設けられている。
【００２２】
覆土装置Ｅは、播種された種子への覆土を行う装置であり、覆土となる培土を貯留する覆土タンク４１と、該覆土タンク４１内の覆土を所定量ずつ繰り出して育苗箱Ｔへ落下させて供給する覆土繰出具となる覆土繰出ベルト４２と、覆土繰出ベルト４２を駆動する覆土モータ４３とを備える。また、覆土装置Ｅの覆土モータ４３は、後述する制御部６１と電気的に接続されており、覆土モータ４３のインバータ制御によって、１枚の育苗箱Ｔ当たりの覆土の繰出量が制御可能に設けられている。
【００２３】
計量装置Ｆは、育苗箱Ｔの総重量を計測可能なロードセル５１が設けられた搬送コンベアであって、搬送コンベアＲの搬送終端側に設けられている。これにより、計量装置Ｆは、搬送コンベアＲの搬送終端側に搬送されてきた育苗箱Ｔの重量を計測し、この測定値の情報を、後述する制御部６１が取得可能となっている。なお、制御部６１は、測定値情報の取得回数をカウントすることにより、播種が行われた育苗箱Ｔの枚数をカウントすることが可能となっている。また、計量装置Ｆは、搬送コンベアＲから切り離し可能に設けられている。これにより、計量装置Ｆを使用しない場合は、播種機１から計量装置Ｆを取り外し、作業性を向上できる。
【００２４】
図２は、播種機１の制御系および駆動系を示すブロックダイアグラムである。
播種機１は、操作盤Ｇを備えており、操作盤Ｇは、播種機１の動作を制御する制御部６１と、作業者の操作を受け付けるスイッチ類で構成された操作部６２と、音声出力可能なスピーカを含む音声出力部６３と、操作部６２による操作内容等を出力する液晶表示部６４と、計量装置Ｆで計測された育苗箱Ｔの枚数を出力する枚数表示部６５と、各種プログラムやデータが格納された記憶部６６とを備えている。
【００２５】
制御部６１は、ＣＰＵ、ＲＯＭ、ＲＡＭを含むマイクロコンピュータで構成されており、駆動装置Ａ、床土装置Ｂ、潅水装置Ｃ、播種装置Ｄ、覆土装置Ｅと電気的に接続されている。これにより、制御部６１は、駆動装置Ａの駆動、１枚の育苗箱Ｔ当たりの床土装置Ｂの床土の繰出量、灌水装置Ｃの灌水量、播種装置Ｄの種子の繰出量、覆土装置Ｅの覆土の繰出量等を制御可能となっている。
【００２６】
また、播種機１は、作業者による操作部６２の操作によって、１枚の育苗箱Ｔ当たりの床土装置Ｂの床土の繰出量、灌水装置Ｃの給水量、播種装置Ｄの種子の繰出量、覆土装置の覆土の繰出量が設定可能となっており、この作業者により設定された所望の設定値の情報を、設定情報として記憶部６６に記憶させることが可能となっており、制御部６１は、記憶部６６に記憶された設定情報を取得して、１枚の育苗箱Ｔ当たりの床土装置Ｂの床土の繰出量、灌水装置Ｃの給水量、播種装置Ｄの種籾の繰出量、覆土装置Ｅの覆土の繰出量をそれぞれ自動制御するように構成されている。
【００２７】
また、制御部６１は、計量装置Ｆから測定値の情報を取得すると、この測定値の情報かから、育苗箱Ｔの重量を液晶表示部６４に表示するとともに、枚数表示部６５に計量装置Ｆによって計測された育苗箱Ｔの枚数を表示するように構成されている。
【００２８】
これにより、作業者は、播種機１によって播種が完了した育苗箱Ｔの重量を液晶表示部６４の表示によって知得し、これを基に、１枚の育苗箱Ｔ当たりの床土装置Ｂの床土の繰出量、灌水装置Ｃの灌水量、播種装置Ｄの種籾の繰出量、覆土装置Ｅの覆土の繰出量を設定及び調整することが可能となっている。
【００２９】
図３は、播種機１の制御部６１による制御フローを示すフローチャートである。
まず、制御部６１は、１枚の育苗箱Ｔ当たりの床土装置Ｂの床土の繰出量、灌水装置Ｃの灌水量、播種装置Ｄの種籾の繰出量、覆土装置Ｅの覆土の繰出量の設定を受け付け、作業者による操作部６２の操作によって、これらの設定値の情報を取得し、これを設定情報として記憶部６６に記憶する（ステップＳ１〜ステップＳ４）。
【００３０】
播種機１は、搬送装置Ｄによって、育苗箱Ｔを搬送しながら、記憶部６６に記憶された設定情報を取得し、取得した設定情報により制御量を決定しながら、搬送装置Ｄの搬送経路上に設けられた各種装置によって、育苗箱Ｔへの床土の敷き詰め、床土への灌水、種籾の播種、種籾への覆土を順次実施する（ステップＳ５）。次に、制御部６１は、育苗箱Ｔが搬送終端側まで搬送されると、計量装置Ｆによって計測された苗育箱Ｔの重量の測定値を計量装置Ｆから取得する（ステップＳ６）。
【００３１】
次に、制御部６１は、液晶表示部６４に苗育箱Ｔの重量を表示し、これを確認した作業者に、１枚の育苗箱Ｔ当たりの床土装置Ｂの床土の繰出量、灌水装置Ｃの灌水量、播種装置Ｄの種籾の繰出量、覆土装置Ｅの覆土の繰出量の再設定を行うか否かを操作部６２によって選択させる（ステップＳ７）。
【００３２】
再設定が選択されると、再度、１枚の育苗箱Ｔ当たりの床土装置Ｂの床土の繰出量、灌水装置Ｃの灌水量、播種装置Ｄの種籾の繰出量、覆土装置Ｅの覆土の繰出量の設定を再度受け付け、再設定された設定情報が記憶部６６に記憶される（ステップＳ１〜ステップＳ７）。これにより、作業者は、苗育箱Ｔが所望の重量となるまで、各種装置の繰出量等を再設定し、繰り返し調節することが可能となっている。
【００３３】
設定が完了し、再設定が選択されなかった場合、搬送装置Ｄによって、育苗箱Ｔを搬送しながら、記憶部６６に記憶された設定値に基づいて、搬送装置Ｄの搬送経路上に設けられた各種装置によって、育苗箱Ｔへの床土の敷き詰め、床土への灌水、種籾の播種、種籾への覆土を順次実施し（ステップＳ８）、制御部６１は、計量装置Ｆによって、育苗箱Ｔの重量が計測されると、都度、測定値の情報を取得し（ステップＳ９）、育苗箱Ｔの重量を液晶表示部６４に表示し（ステップＳ１０）、苗育箱Ｔの枚数をカウントして枚数表示部６５に表示し（ステップＳ１１）、カウントした育苗箱Ｔの枚数を音声出力部６３によって音声出力する（ステップＳ１２）。なお、音声出力部６３による音声出力は、所定の枚数、例えば１００枚毎に行うように構成してもよい。
【００３４】
次に、制御部６１は、作業者による操作部６２の操作によって、播種作業の終了が選択されたか否かを判断する（ステップＳ１３）。制御部６１は、播種作業の終了が選択されるまで、ステップＳ８〜ステップＳ１３を繰り返す。作業者によって播種終了が選択されると、制御部６１は、播種機１の動作を終了するよう制御する。
【００３５】
図４は、図１の播種装置の縦断側面図である。
仕切り板３２は、種子ホッパ３１の内部に配設され、前部種子ホッパ３１ａ及び後部種子ホッパ３１ｂを分割する機能を果たすとともに、下端を支点として上端側を回動することで、仕切り位置を切り替え可能に設けられている。図４に示されるように、仕切り板３２は、前傾姿勢となる前傾位置（ａ）、略鉛直姿勢となる中立位置（ｂ）、後傾姿勢となる後傾位置（ｃ）のいずれかに切り替え可能となっている。なお、仕切り板３２の仕切り位置の切り替え方法については、手動式としても電動式としてもよい。
【００３６】
ここで、播種装置Ｄの駆動による播種の繰り出し時、前部播種繰出ロール３５ａは、図４における反時計回り方向（正方向）に回転し、後部播種繰出ロール３５ｂは、時計回り方向（逆方向）に回転するように構成されている。これにより、前部播種繰出ロール３５ａ及び後部播種繰出ロール３５ｂから繰り出される種籾の干渉を防止して、床土に均一な播種が可能となるとともに、種籾が外向きに繰出されることで、育苗箱Ｔの隅まで種籾を播種し易くなる。また、前部播種繰出ロール３５ａ及び後部播種繰出ロール３５ｂが互いに回転方向を異ならせて、外側に向けて種籾を繰出すように構成されているため、メンテナンスが必要となりやすい種籾の繰出し部分が外側に位置することとなり、これにより、メンテナンスが容易となる。
【００３７】
また、操作部６２に設けられた切替スイッチの操作によって、播種装置Ｄは、前部播種繰出ロール３５ａまたは後部播種繰出ロール３５ｂのいずれか一方を回転して駆動することもできるように構成されている。したがって、仕切り板３２は、通常、中立位置（ｂ）に設定されているが、前部播種繰出ロール３５ａのみを回転する場合、仕切り板３２を後傾姿勢となる後傾位置（ｃ）とすれば、種子を消費する前部種子ホッパ３１ａの容積が拡大されるため、利便性が向上する。また、後部播種繰出ロール３５ｂのみを回転する場合、仕切り板３２を前傾姿勢となる前傾位置（ａ）とすれば、種子を消費する後部種子ホッパ３１ｂの容積が拡大されるため、利便性が向上する。
【００３８】
また、前部播種繰出ロール３５ａ及び後部播種繰出ロール３５ｂの回転方向上手側には、それぞれ、繰出凹部３５ａから溢れる種籾を擦り切って除去する除去ブラシ３４ａ，３４ｂが設けられている。前部播種繰出ロール３５ａが反時計回り方向（正方向）に回転し、後部播種繰出ロール３５ｂが時計回り方向（逆方向）に回転するように構成されていることにより、この除去ブラシ３４ａ，３４ｂについても、前部播種繰出ロール３５ａ及び後部播種繰出ロール３５ｂの外側に設けられて、これにより、メンテナンスが容易となっている。
【００３９】
なお、種子ホッパ３１の内部が、仕切り板３２によって、前部種子ホッパ３１ａ及び後部種子ホッパ３１ｂを分割され、前部種子ホッパ３１ａ内に貯留された種子を前部播種繰出ロール３５ａが繰り出し、後部種子ホッパ３１ｂに貯留された種子を後部播種繰出ロール３５ｂによって繰出す構成となっていることにより、前部播種繰出ロール３５ａ及び後部播種繰出ロール３５ｂから異種の種子を繰出すことも可能となっている。この場合、播種機１は、前部種子ホッパ３１ａ及び後部種子ホッパ３１ｂにそれぞれ異種の種子を貯留し、前部播種繰出ロール３５ａまたは後部播種繰出ロール３５ｂうち、所望のいずれか一方を回転して駆動することにより、多品種の種子の播種に迅速に対応することができる。
【００４０】
図５（ａ）は、図４の播種装置Ｄの前部播種繰出ロール３２ａの拡大図であり、図５（ｂ）は、図４の播種装置Ｄの後部播種繰出ロール３２ｂの拡大図である。前部播種繰出ロール３２ａは後部播種繰出ロール３２ｂよりも大径に設けられており、一例として、直径Ｒが８０ｍｍ程度であるものとする。また、前部播種繰出ロール３２ａの繰出凹部３５ａは、幅αが９ｍｍ程度、深さβが５ｍｍ程度であり、繰出凹部３５ａ同士の間隔γは２０ｍｍ程度であるものとする。また、前部播種繰出ロール３２ａの繰出凹部３５ａは、８つである。
【００４１】
また、後部播種繰出ロール３２ｂは前部播種繰出ロール３２ａよりも小径に設けられており、一例として、直径Ｒ´が６０ｍｍ程度であるものとする。また、後部播種繰出ロール３２ｂの繰出凹部３５ｂは、幅α´が１０ｍｍ程度、深さβ´が６ｍｍ程度であり、繰出凹部３５ｂ同士の間隔γ´は６ｍｍ程度であるものとする。また、後部播種繰出ロール３２ｂの繰出凹部３５ｂは、１２つである。
【００４２】
このように、前部播種繰出ロール３２ａは、後部播種繰出ロール３２ｂと比較し、大径に設けられ、前部播種繰出ロール３２ａの繰出凹部３５ａの幅α、深さβは小さく設けられ、繰出凹部３５ａ同士の間隔γは大きく設けられ、繰出凹部３５ａの数が少ないため、後部播種繰出ロール３２ｂに対し、少量散播が可能であり、所謂、床土の単位面積当たりの播種が粗い薄播きが可能となっている。
【００４３】
また、後部播種繰出ロール３２ｂは、前部播種繰出ロール３２ａと比較し、小径に設けられ、後部播種繰出ロール３２ｂの繰出凹部３５ａの幅α´、深さβ´は大きく設けられ、繰出凹部３５ｂ同士の間隔γ´は小さく設けられ、繰出凹部３５ｂの数が多いため、前部播種繰出ロール３２ａに対し、多量散播が可能であり、所謂、床土の単位面積当たりの播種が細かい厚播きが可能となっている。
【００４４】
このような構成によって、前部播種繰出ロール３２ａ及び後部播種繰出ロール３２ｂは、所定の回転速度における単位時間当たりの種子の繰出量がそれぞれ異なるように構成されているから、播種装置Ｄは、所定の回転速度によって前部播種繰出ロール３２ａのみを回転して播種を行うことにより、少量散播に対応でき、所定の回転速度によって後部播種繰出ロール３２ｂのみを回転して播種を行うことにより、多量散播に対応でき、さらに、前部播種繰出ロール３２ａ及び後部播種繰出ロール３２ｂを同時に回転して播種を行うことにより、高密度の播種に対応できる。その結果、１枚の育苗箱当たりの播種量を、播種繰出ロール（３２）の回転速度の増減によらず、より広い範囲で増減可能となっている。
【００４５】
さらに、播種繰出ロール（３２）の回転速度の増減によらず播種量の調節が可能であるため、床土へのより均一な播種が可能となっている。また、前部播種繰出ロール３２ａ及び後部播種繰出ロール３２ｂを同時に回転して播種を行う高密度の播種の場合、苗育箱Ｔに対し、前部播種繰出ロール３２ａによる薄播きを先に行うことによって、より均一な播種が可能となっている。
【００４６】
また、播種装置Ｄは、必要に応じて、操作部６２の操作により、前部播種繰出ロール３２ａ及び後部播種繰出ロール３２ｂの回転速度を変更することが可能となっており、これにより、１枚の育苗箱Ｔ当たりの播種量がさらに広い範囲で増減可能となっている。
【００４７】
本発明は、以上の実施形態に限定されることなく、特許請求の範囲に記載された発明の範囲内で種々の変更が可能であり、それらも本発明の範囲内に包含されるものであることはいうまでもない。
【００４８】
例えば、前記実施形態においては、図４に示されるように、前部播種繰出ロール３５ａが反時計回り方向（正方向）に回転し、後部播種繰出ロール３５ｂが時計回り方向（逆方向）に回転するように構成されているが、操作部６２の操作によって、前部播種繰出ロール３５ａ及び後部播種繰出ロール３５ｂの回転方向を自由に切り替えることができるように構成してもよく、図６に示されるように、前部播種繰出ロール３５ａ及び後部播種繰出ロール３５ｂを、ともに、前部播種繰出ロール３５ａが反時計回り方向（正方向）に回転するように構成してもよい。
【００４９】
また、前部播種繰出ロール３５ａ及び後部播種繰出ロール３５ｂの回転方向を自由に切り替えることができるように構成する場合、図６に示されるように、除去ブラシ３４ａ，３４ｂを前部播種繰出ロール３５ａ及び後部播種繰出ロール３５ｂの側面両側、すなわち、外側及び内側の両方にそれぞれ設けても良い。これにより、正方向及び逆方向の回転のいずれにおいても、好適に種籾の除去が可能となる。
【００５０】
また、図５（ａ）及び図５（ｂ）において、後部播種繰出ロール３２ｂは、前部播種繰出ロール３２ａよりも大径に設けられ、後部播種繰出ロール３２ｂの繰出凹部３５ａの幅α´、深さβ´は大きく設けられ、繰出凹部３５ａ同士の間隔γ´は小さく設けられ、繰出凹部３５ｂの数が多く設けられているが、例えば、図６に示されるように、前部播種繰出ロール３２ａ及び後部播種繰出ロール３２ｂは、同径に設けることも可能である。また、前部播種繰出ロール３２ｂの繰出凹部３５ａの幅α、深さβ、繰出凹部３５ｂ同士の間隔γ´と、後部播種繰出ロール３２ｂの繰出凹部３５ｂの幅α´、深さβ´、繰出凹部３５ｂ同士の間隔γ´との大小関係についても、柔軟に変更が可能である。また、前部播種繰出ロール３２ａの繰出凹部３５ａの数及び後部播種繰出ロール３２ｂ繰出凹部３５ｂの数についても変更可能である。
【００５１】
また、図１及び図４において、種子ホッパ３１を仕切り板３２によって２分割し、前部種子ホッパ３１ａの下端に回転駆動自在に装着された前部播種繰出ロール３２ａと、後部種子ホッパ３１ｂの下端に回転駆動自在に装着された後部播種繰出ロール３２ｂとによって構成されているが、種子ホッパ３１の分割方法は２つに限られない。例えば、仕切り板によって、種子ホッパ３１を前部、中部、後部の３分割によって構成し、それぞれのホッパに下端に、所定の回転速度における単位時間当たりの種子の繰出量がそれぞれ異なる繰出ロールを設けて構成することもできる。これにより、１枚の育苗箱当たりの播種量がさらに広い範囲で増減可能となる。
【符号の説明】
【００５２】
Ａ  駆動装置
Ｂ  床土装置
Ｃ  灌水装置
Ｄ  播種装置
Ｅ  覆土装置
Ｆ  計量装置
Ｇ  操作盤
Ｒ  搬送コンベア
Ｔ  育苗箱
１１  床土タンク
１２  床土繰出ベルト
１３  床土繰出モータ
２１  灌水パイプ
３１  種子ホッパ
３１ａ  前部種子ホッパ
３１ｂ  後部種子ホッパ
３２  播種繰出ロール
３２ａ  前部播種繰出ロール
３２ｂ  後部播種繰出ロール
３３ａ  前部播種モータ
３３ｂ  後部播種モータ
３４ａ，３４ｂ  除去ブラシ
３５ａ，３５ｂ  繰出凹部
４１  覆土タンク
４２  覆土繰出ベルト
４３  覆土モータ
５１  ロードセル
６１  制御部
６２  操作部
６３  音声出力部
６４  液晶表示部
６５  枚数表示部
６６  記憶部
【図１】
2019208378.tif 000003
【図２】
2019208378.tif 000004
【図３】
2019208378.tif 000005
【図４】
2019208378.tif 000006
【図５】
2019208378.tif 000007
【図６】
2019208378.tif 000008